(57)【要約】【課題】良好な止水性を得られるのに加え、コストの上昇を押さえつつ大型化に対処できる。【解決手段】トンネルの周面に取り付けた防水シート３を貫通してトンネルの内方に延びる連結用ボルト４と、この連結用ボルトからさらにトンネルの内方に延びる鉄筋支持用のボルト１０とを連結するための防水型ボルト連結具１２である。両端に連結用ボルトの端部と鉄筋支持用のボルトの端部にそれぞれ螺合する袋ナット部１３Ａ、１３Ｂが形成されたナット体１４と、ナット体の一端部外周に嵌合孔を介して液密に嵌合されるともに防水シートに接着される止水板１５とを備える。ナット体の一端部外周にリング状の溝が形成され、止水板の嵌合孔の内周にリング状の凸部が形成され、ナット体のリング状の溝と止水板のリング状の凸部が凹凸嵌合される。【選択図】図２
2008179949.tif 000002
【特許請求の範囲】
【請求項１】
トンネルの周面に取り付けた防水シートを貫通してトンネルの内方に延びる第１のボルトと、該第１のボルトからさらにトンネルの内方に延びる（鉄筋支持用の）第２のボルトとを連結するための防水型ボルト連結具であって、
両端に前記第１のボルトの端部と前記第２のボルトの端部にそれぞれ螺合する袋ナット部が形成されたナット体と、
該ナット体の一端部外周に嵌合孔を介して液密に嵌合されるともに前記防水シートに接着される止水板とを備え、
前記ナット体の一端部外周にリング状の溝が形成され、前記止水板の嵌合孔の内周にリング状の凸部が形成され、
前記ナット体のリング状の溝と前記止水板のリング状の凸部が凹凸嵌合されていることを特徴とする防水型ボルト連結具。
【請求項２】
前記ナット体の袋ナット部は、内径が１６ｍｍ〜２４ｍｍに設定されていることを特徴とする請求項１に記載の防水型ボルト連結具。
【請求項３】
前記ナット体の一端部は、前記止水板の嵌合孔に回転可能に嵌合されていることを特徴とする請求項１または２に記載の防水型ボルト連結具。
【請求項４】
前記止水板には、前記ナット体の一端部外周に嵌合するリング状の起立部が形成されていることを特徴とする請求項１〜３のいずれか１項に記載の防水型ボルト連結具。    
【請求項５】
前記止水板の前記防水シートと当接する面には接着剤が塗布されていることを特徴とする請求項１〜４のいずれか１項に記載の防水型ボルト連結具。
【請求項６】
請求項１〜５のいずれか１項に記載の防水型ボルト連結具を用いて、トンネル内周に定着された第１のボルトと、鉄筋を固定支持する第２のボルトを連結したことを特徴とするトンネルの鉄筋支持構造。
【発明の詳細な説明】
【技術分野】
【０００１】
本発明は防水型ボルト連結具及びトンネルの鉄筋支持構造に関する。
【背景技術】
【０００２】
例えば、地山を掘削してなる鉄道車両用トンネルや自動車用トンネル等は、その横断面形状がほぼ蒲鉾状に形成されることが多い。この種のトンネルの施工法の一つとして、まず地山を掘削したトンネルの周面に薄くコンクリートを吹き付けてから、トンネルに防水シートを配設し、次いで防水シートの内側に覆工コンクリートを打ち込む手順で行われるものがある。 
【０００３】
ここで、覆工コンクリートの強化に供する鉄筋の設置は、例えば、地山に密着させた吹き付けコンクリートに、コンクリートアンカを打ち込みかつこのアンカからボルトをトンネル内方へ延出させ、アンカ側から延びるボルト（第１のボルト）と鉄筋支持用のボルト（第２のボルト）とを防水型ボルト連結具を介して連結し、この鉄筋支持用のボルトによって、覆工用コンクリート補強用の鉄筋を支持することで実施している。
【０００４】
ところで、従来、アンカ側から延びるボルトと鉄筋支持用のボルトとを連結する防水型ボルト連結具の一つとして、両端に前記第１のボルトの端部と前記第２のボルトの端部にそれぞれ螺合する袋ナット部が形成されたナット体と、該ナット体の一端部に嵌合孔を介して液密に嵌合されるともに前記防水シートに接着される止水板とを備えるものが知られている（特許文献１参照）。
【特許文献１】特開２０００−２２０３９４号公報
【発明の開示】
【発明が解決しようとする課題】
【０００５】
近年、トンネルが大型化するのに対応して、支持する覆工用コンクリート補強用の鉄筋も大径化し、これを支持する鉄筋支持用のボルト並びに防水型ボルト連結具も大型化する傾向にある。
ところで、前記特許文献１に記載された防水型ボルト連結具では、止水性を高めるために、ナット体の下端に外方へ突出するつばを形成し、このつばを囲むようにナット体の下端外周に止水板を嵌合固定している。下端につばを一体に形成したナット体を作るには、１本の鋼材から不要部分を切削加工により削り取ることで作るのが一般的である。
しかしながら、前述したように、下端につばを有する大型のナット体を切削加工により作る場合、大径の棒材を使用しなければならず、しかも削り代が増大するため、材料費が嵩む、また加工時間が長くなるという問題があった。
【０００６】
本発明は上記事情に鑑みてなされたもので、その目的とするところは、良好な止水性を得られるのに加え、コストの上昇を押さえつつ大型化に対処できる防水型ボルト連結具及びトンネルの鉄筋支持構造を提供することにある。
【課題を解決するための手段】
【０００７】
本発明に係る防水型ボルト連結具は、トンネルの周面に取り付けた防水シートを貫通してトンネルの内方に延びる第１のボルトと、該第１のボルトからさらにトンネルの内方に延びる第２のボルトとを連結するための防水型ボルト連結具であって、両端に前記第１のボルトの端部と前記第２のボルトの端部にそれぞれ螺合する袋ナット部が形成されたナット体と、該ナット体の一端部に嵌合孔を介して液密に嵌合されるともに前記防水シートに接着される止水板とを備え、前記ナット体の一端部外周にリング状の溝が形成され、前記止水板の嵌合孔の内周にリング状の凸部が形成され、前記ナット体のリング状の溝と前記止水板のリング状の凸部が凹凸嵌合されていることを特徴とする。
【０００８】
本発明によれば、ナット体の一端部外周にリング状の溝を形成し、止水板の嵌合孔の内周にリング状の凸部を形成し、ナット体のリング状の溝と止水板のリング状の凸部を凹凸嵌合させているため、ナット体と止水板との接合部分の断面が屈曲する。このため、両者間の良好な止水性が確保される。
また、ナット体と止水板との接合部分の断面を屈曲させるにあたり、ナット体の一端部外周にリング状の溝を形成するため、つばを形成する場合に比べ、当該ナット体を切削加工により形成する場合であっても、加工前の棒材としては小径のもので足り、その分材料費を低減できる。また、削り量も少なくできるので、加工費並びに加工時間も低減できる。
【０００９】
本発明の防水型ボルト連結具は、前記ナット体の袋ナット部が、内径を１６ｍｍ〜２４ｍｍに設定されていることが好ましい。
この場合、大型化する覆工コンクリート補強用の鉄筋を支持する場合に十分対処できる。ちなみに、従来は、鉄筋支持用のボルトとして直径が１６ｍｍのものを用いているが、ここでは、それ以上のもの、具体的には直径が２４ｍｍまでの鉄筋支持用のボルトを螺合させて支持できる。
【００１０】
本発明の防水型ボルト連結具は、前記ナット体の一端部が、前記止水板の嵌合孔に回転可能に嵌合されていることが好ましい。
この場合、当該防水型ボルト連結具を第１のボルトに連結し、防水型ボルト連結具の止水板を防水シートに接着した後、この防水型ボルト連結具に第２のボルトをねじ合わせるとき、ナット体に所定量以上のトルクが加わる場合には、ナット体が止水板に対して回転する。このため、止水板と防水シートと接着状態は維持される。
【００１１】
本発明の防水型ボルト連結具は、前記止水板に、前記ナット体の一端部外周に嵌合するリング状の起立部が形成されていることが好ましい。
この場合、ナット体の一端部外周と止水板の接触面積を広くとることができる。このため、ナット体と止水板との間の止水性を高めることができる。また、ナット体と止水板との接触面積を広くとることができるので、ナット体のリング状の溝と止水板のリング状の凸部を多数対形成することができ、こうすることによって、止水性をより一層高めることができる。
【００１２】
本発明の防水型ボルト連結具は、前記止水板の前記防水シートと当接する面には接着剤が塗布されていることが好ましい。
この場合、防水シートに止水板を接着させる際の作業性が向上する。
【００１３】
本発明のトンネルの鉄筋支持構造は、請求項１〜５のいずれか１項に記載の防水型ボルト連結具を用いて、トンネル内周に定着された第１のボルトと、鉄筋を固定支持する第２のボルトを連結したことを特徴とする。
本発明によれば、請求項１〜５に記載した防水型ボルト連結具が奏する作用効果と同様な作用効果を奏する。
【発明の効果】
【００１４】
本発明によれば、ナット体と止水板との接合部分の断面形状を屈曲させるため、両者間の良好な止水性が確保される。また、ナット体を切削加工により形成する場合、基本の棒材としては小径のもので足り、その分材料費を低減できる。また、削り量を少なくできるので、加工費も低減できる。
【発明を実施するための最良の形態】
【００１５】
本発明に係る防水型ボルト連結具及びトンネルの鉄筋支持構造の実施形態を図面に基づき説明する。
図１〜図３は本発明に係る防水型ボルト連結具及びトンネルの鉄筋支持構造の実施形態を示し、図１はトンネルの鉄筋支持構造の要部の断面図、図２は防水型ボルト連結具の斜視図、図３（ａ）〜（ｅ）はトンネルの鉄筋支持構造を施工する際の工程を示す断面図である。
【００１６】
図１において、符号１はトンネルの地山に密着させた吹き付けコンクリートを示す。吹き付けコンクリート１には、コンクリートアンカ２が打ち込まれている。吹き付けコンクリート１の表面には、防水シート３が配置されている。コンクリートアンカ２には連結用ボルト（第１のボルト）４の一端側が螺合されている。連結用ボルト４の他端は、防水シート３を貫通してトンネル内方へ突出している。
【００１７】
また、図１において、符号１０は鉄筋１１を支持するための鉄筋支持用ボルト（第２のボルト）である。連結用ボルト４の他端と鉄筋支持用ボルト１０の一端とは防水型ボルト連結具１２によって、互いに同軸状となるように連結されている。
防水型ボルト連結具１２は、図２に示すように、両端に袋ナット部１３Ａ、１３Ｂが形成されたナット体１４と、ナット体１４の一端部外周に嵌合孔１５Ａを介して液密に嵌合されて、ナット体１４と直交するように配置される止水板１５とを備える。
【００１８】
ナット体１４の止水板１５と嵌合される一端部外周（図２における下端側外周）は外形が円形状に形成されている。これにより、ナット体１４の一端部は、止水板１５に対して回転可能とされている。また、ナット体１４の一端部外周にはリング状の溝１６が図示例では２個相互に適宜間隔をあけて形成されている。
また、ナット体１４の止水板１５と嵌合せず露出される他端部外周（図２における上端側外周）は６角形状に形成され、当該ナット体１４を回転させるための工具が係合可能になっている。
【００１９】
ナット体１４の袋ナット部１３Ａ、１３Ｂのめねじ部分は、ともに内径が１６ｍｍ〜２４ｍｍのいずれかに設定されている。なお、従前のナット体の袋ナット部のめねじ部分は、内径が１６ｍｍ以下に設定されている。したがって、この実施形態でのナット体１４では、袋ナット部１３Ａ、１３Ｂのめねじ部分の内径が、従前のナット体のそれと同等かそれよりも大に設定されている。
【００２０】
前記止水板１５は円盤状に形成されている。止水板１５の中央部分には起立部１７が形成され、起立部１７は前記ナット体１４の一端部外周に嵌合している。つまり、起立部１７の内側は前記嵌合孔１５Ａが形成されている。
前記止水板１５の嵌合孔１５Ａの内周にはリング状の凸部１８が図示例では２個相互に適宜間隔をあけて形成されている。そして、このリング状の凸部１８は、前記ナット体１４のリング状の溝１６と凹凸嵌合されている。
【００２１】
なお、ナット体１４は普通鋼やステンレス鋼等の金属によって作られ、止水板１５はＥＶＡ（エチレン−酢酸ビニル共重合体）やＨＤＰＥ（高密度ポリエチレン）等の合成樹脂材によって作られる。また、止水板５の表面には、必要に応じて例えばカーボンブラックを所定量配合した、赤外線吸収剤含有層を設けてもよい。
【００２２】
次に、トンネルの施工方法について説明する。
まず、図３（ａ）に示すように、地山を掘削したトンネルの周面に薄くコンクリートを吹き付ける。この吹き付けコンクリート１に沿って、防水シート３を配設する。次いで、図３（ｂ）に示すように、防水シート３に設けた穴を介して、吹き付けコンクリート１にコンクリートアンカ２を打ち込んで固定する。  
【００２３】
次に、図３（ｃ）に示すように、コンクリートアンカ２に連結用ボルト４の一端を螺合させた後、連結用ボルト４の他端に防止型ボルト連結具１２を取り付ける。すなわち、ナット体１４の一端部側に設けた袋ナット部１３Ａを、連結用ボルト４の他端に螺合させる。このとき、止水板１５が防水シート３に密着するまで、ナット体１４をねじ込む。
なお、連結用ボルト４をコンクリートアンカ２及びナット体１４へ螺合させるにあたり、上述の説明では、先に連結用ボルト４をコンクリートアンカ２に螺合させているが、これとは逆に、先に連結用ボルト４をナット体１４に螺合させておき、この状態で、連結ボルト４をコンクリートアンカ２に螺合させても良い。
【００２４】
次に、図３（ｄ）に示すように、ナット体１４側に配置した赤外線照射装置１９からか赤外線を止水板１５に向けて照射する。ここで、赤外線は止水板１５の大半を透過させて、その防水シート３との接触面付近に集中させる。この操作によって、止水板１５の防水シート３への接触面を選択的に加熱溶融して接触面を防水シート３に溶着し、防水シート３と止水板１５との間を水密状態にする。
【００２５】
なお、赤外線を用いた接着方法に代わり、止水板１５に塗布されている接着剤によって、止水板を防水シートに接着させてもよい。このとき、予め塗布した接着剤層の表面を剥離シートで覆っておき、防水シート３と接着させる直前に、剥離シートを剥がして防水シート３と接着させてもよく、また、防水シート３と接着させる直前に、防水シート３または止水板１５に接着剤を塗布することで接着させてもよい。
【００２６】
その後、図３（ｅ）に示すように、防水型ボルト連結具１２のナット体１４の袋ナット部１３Ｂに、鉄筋支持用ボルト１０をねじ込んで固定する。ここで、鉄筋支持用ボルト１０の先端が袋ナット部１３Ｂの底部に突き当てた後も、当該鉄筋支持用ボルト１０を回転させ続ける場合には、ナット体１４に所定量以上のトルクが作用することとなる。この場合、ナット体１４の一端部外周と止水板１５の嵌合孔１５Ａとの間ですべりが生じ、ナット体１４が止水板１５に対して相対回転する。つまり、止水板１５はナット体１４とともに回転することがなく、その場で停止したままとなるので、当該止水板１５と防水シート３との接着状態が維持される。
【００２７】
以上の作業を繰り返して複数の位置に鉄筋支持用ボルト１０を設けた後、これら複数の支持用ボルト１０相互間に鉄筋１１を、例えば溶接や針金結合によって固定する。これにより、トンネルの周面に沿って鉄筋１１を設置することができる。その後、鉄筋１１を埋設するように、防水シート３の内側に覆工用コンクリートを打設する。
【００２８】
この実施形態では、ナット体１４の一端部外周に形成したリング状の溝１６と、止水板１５の嵌合孔１５Ａの内周に形成したリング状の凸部１８を凹凸嵌合させているため、ナット体１４と止水板１５との接合部分の断面が屈曲する。このため、両者間の良好な止水性が確保される。
【００２９】
また、ナット体１４と止水板１５との接合部分の断面を屈曲させるにあたり、ナット体１４の一端部外周にリング状の溝１６を形成するため、従前のナット体の一端部につばを形成する場合に比べ、当該ナット体１４を切削加工により形成する場合であっても、加工前の棒材としては小径のもので足り、その分材料費を低減できる。また、削り量も少なくできるので、加工費並びに加工時間も低減できる。
【００３０】
また、この実施形態では、止水板１５に、ナット体１４の一端部外周に嵌合するリング状の起立部１７を形成しており、これにより、当該止水板１５とナット体１４の一端部外周との接触面積を広くとることができる。このため、ナット体１４と止水板１５との間の止水性を高めることができる。また、ナット体１４と止水板１５との接触面積を広くとることができるので、ナット体１４のリング状の溝１６と止水板１５のリング状の凸部１８を複数（図示例では、２個づつ）形成することができ、こうすることによって、止水性をより一層高めることができる。
【００３１】
なお、本発明は、前記実施形態に限定されることなく、発明の趣旨を逸脱しない範囲において適宜設計変更可能である。
例えば、前記実施形態では、止水板１５として円盤状のものを用いているが、これに限られることなく、平面視多角形状の止水板を用いてもよい。
また、前記実施形態では、ナット体１４の一端部外周に形成したリング状の溝１６と、止水板１５の嵌合孔１５Ａの内周に形成したリング状の凸部１８をそれぞれ２個ずつ形成しているが、これに限られることなく、３個以上ずつ設けても良い。
【図面の簡単な説明】
【００３２】
【図１】本発明に係るトンネルの鉄筋支持構造の実施形態を示す断面図である。
【図２】本発明に係る防水型ボルト連結具の実施形態を示す斜視図である。
【図３】本発明に係るトンネルの鉄筋支持構造の施工手順を示す工程図である。
【符号の説明】
【００３３】
１  吹き付けコンクリート
２  コンクリートアンカ
３  防水シート
４  連結用ボルト（第１のボルト）
１０  鉄筋支持用ボルト（第２のボルト）
１１  鉄筋
１２  防水型ボルト連結具
１３Ａ、１３Ｂ  袋ナット部
１４  ナット体
１５Ａ  嵌合孔
１５  止水板
１６  リング状の溝
１７  起立部
１８  リング状の凸部
【図１】
2008179949.tif 000003
【図２】
2008179949.tif 000004
【図３】
2008179949.tif 000005